(57)【要約】      （修正有）【課題】物品の視認性及び取出性に優れる箱体に組立可能な箱用シートを提供する。【解決手段】箱用シートは、左右方向に交互に連接され、四角筒状に組み立てられる一対の長さ面パネル１、２及び一対の幅面パネル３、４と、一対の長さ面パネル１、２の上縁から延出する一対の上側外フラップ５、６と、一対の幅面パネル３、４の上縁から延出する一対の上側内フラップ７、８とを備え、箱型に組立可能な箱用シートであって、一方の長さ面パネル２及びこの長さ面パネル２の上縁から延出する一方の上側外フラップ６に第１開口形成部１４が形成され、一方の幅面パネル３に第２開口形成部１５が形成され、第１開口形成部１４が、一方の長さ面パネル２及び一方の上側外フラップ６間の境界線を両端として下方に凸な第１破断容易線１６と、第１破断容易線１６の両端に接続され、一方の上側外フラップ６の先端側に凸な第２破断容易線１７とを有し、第２開口形成部１５が、環状の第３破断容易線１９を有する。【選択図】図１
0003217142.tif 000002
【実用新案登録請求の範囲】
【請求項１】
左右方向に交互に連接され、四角筒状に組み立てられる一対の長さ面パネル及び一対の幅面パネルと、
上記一対の長さ面パネルの上縁から延出する一対の上側外フラップと、
上記一対の幅面パネルの上縁から延出する一対の上側内フラップと
を備え、
箱型に組立可能な箱用シートであって、
一方の上記長さ面パネル及びこの長さ面パネルの上縁から延出する一方の上記上側外フラップに第１開口形成部が形成され、
一方の上記幅面パネルに第２開口形成部が形成され、
上記第１開口形成部が、上記一方の長さ面パネル及び一方の上側外フラップ間の境界線を両端として下方に凸な第１破断容易線と、上記第１破断容易線の両端に接続され、上記一方の上側外フラップの先端側に凸な第２破断容易線とを有し、
上記第２開口形成部が、環状の第３破断容易線を有する箱用シート。
【請求項２】
上記第３破断容易線が、上下方向に延在し、左右方向に並列に配設される一対の鉛直部と、左右方向に延在し、上下方向に並列に配設される一対の水平部と、外側に凸な弧状に形成され、上記鉛直部及び水平部の隣接する端部同士を接続する４つの接続部とを有する概略四角環状であり、
上記第２開口形成部が、上記一対の鉛直部と、上記一方の幅面パネル及び組立状態でこの幅面パネルに隣接する一対の長さ面パネル間の境界線の上端との間を破断可能に構成する一対の第４破断容易線をさらに有する請求項１に記載の箱用シート。
【請求項３】
上記第３破断容易線が、間隔を空けて配設される複数の切断線を有するミシン目であり、
上記４つの接続部の切断線間の間隔が、上記一対の鉛直部及び一対の水平部の切断線間の間隔よりも小さい請求項２に記載の箱用シート。
【請求項４】
上記第１開口形成部が、上記一方の上側外フラップに形成され、上記第２破断容易線に隣接する破断開始用の舌片をさらに有する請求項１、請求項２又は請求項３に記載の箱用シート。
【請求項５】
上記一対の上側内フラップに、上記第２破断容易線に対応する切欠きが形成される請求項１から請求項４のいずれか１項に記載の箱用シート。
【考案の詳細な説明】
【技術分野】
【０００１】
本考案は、箱用シートに関する。
【背景技術】
【０００２】
物品の保管、運搬等に段ボールシート等から組み立てられる箱体が広く用いられている。この箱体には、物品の保管、運搬等に用いられた後に、店舗で物品陳列用の容器として利用されるものがある。通常、物品陳列用の容器として利用される箱体は、内部に収容された物品を外側から視認できると共にこの物品を容易に取り出せるよう、十分に大きな開口を形成可能に構成されている。
【０００３】
このような物品取り出し用の開口を形成可能な箱体として、例えば「陳列時の視認性を改善した包装箱」（特開２００５−１７０４７４号公報参照）が発案されている。この包装箱は、それぞれ対向する一対の長側板及び一対の短側板を備えており、これら４つの側板を左右方向に亘って横断するカットテープを有している。この包装箱は、各長側板に、上記カットテープを下端とする３つの切目線（中央切目線及びこの中央切目線の左右に配設される一対の側方切目線）が形成されている。
【０００４】
上記包装箱は、上記カットテープを剥がしたうえ、中央切目線及び一対の側方切目線のうち、任意の２つの切目線を破断することで、長側板に物品取り出し用の開口を形成可能に構成されている。
【先行技術文献】
【特許文献】
【０００５】
【特許文献１】特開２００５−１７０４７４号公報
【考案の概要】
【考案が解決しようとする課題】
【０００６】
上記公報に記載の包装箱は、破断する切目線を選択することで、開口の大きさ及び位置を調節することができる。しかしながら、この包装箱によると、長側板側から物品を視認及び取り出しすることを要するため、長側板が正面方向（顧客と対向する方向）を向くよう店舗に配置することが必要となる。
【０００７】
しかしながら、包装箱の好ましい配置は、店舗側の嗜好や店舗の空きスペースによって左右される。そのため、上記公報に記載の包装箱は、店舗によっては取り扱い難い場合がある。また、物品陳列用に用いられる包装箱は、隣接する長側板及び短側板がいずれも通路に面して配置される場合があるが、上記公報に記載の包装箱によっては、ユーザは長側板側から物品を視認及び取り出しすることしかできず、不便である。
【０００８】
本考案は、このような不都合に鑑みてなされたものであり、物品の視認性及び取出性に優れる箱体に組立可能な箱用シートを提供することを課題とする。
【課題を解決するための手段】
【０００９】
上記課題を解決するためになされた本考案に係る箱用シートは、左右方向に交互に連接され、四角筒状に組み立てられる一対の長さ面パネル及び一対の幅面パネルと、上記一対の長さ面パネルの上縁から延出する一対の上側外フラップと、上記一対の幅面パネルの上縁から延出する一対の上側内フラップとを備え、箱型に組立可能な箱用シートであって、一方の上記長さ面パネル及びこの長さ面パネルの上縁から延出する一方の上記上側外フラップに第１開口形成部が形成され、一方の上記幅面パネルに第２開口形成部が形成され、上記第１開口形成部が、上記一方の長さ面パネル及び一方の上側外フラップ間の境界線を両端として下方に凸な第１破断容易線と、上記第１破断容易線の両端に接続され、上記一方の上側外フラップの先端側に凸な第２破断容易線とを有し、上記第２開口形成部が、環状の第３破断容易線を有する。
【００１０】
当該箱用シートは、一方の長さ面パネル及びこの長さ面パネルの上縁から延出する一方の上側外フラップに形成される第１開口形成部と、一方の幅面パネルに形成される第２開口形成部とを備えるので、組立状態で上記一方の長さ面パネル及び一方の幅面パネルのいずれからも物品を視認及び取り出しすることができる。さらに、当該箱用シートは、上記第１開口形成部が上記一方の長さ面パネル及び一方の上側外フラップに亘って形成されるので、組立状態で物品を上方から視認及び取り出しすることもできる。従って、当該箱用シートを組み立ててなる箱体は、物品の視認性及び取出性に優れる。
【００１１】
上記第３破断容易線が、上下方向に延在し、左右方向に並列に配設される一対の鉛直部と、左右方向に延在し、上下方向に並列に配設される一対の水平部と、外側に凸な弧状に形成され、上記鉛直部及び水平部の隣接する端部同士を接続する４つの接続部とを有する概略四角環状であり、上記第２開口形成部が、上記一対の鉛直部と、上記一方の幅面パネル及び組立状態でこの幅面パネルに隣接する一対の長さ面パネル間の境界線の上端との間を破断可能に構成する一対の第４破断容易線をさらに有するとよい。この構成によると、上記第３破断容易線を破断することによって、上記一方の幅面パネルに概略四角環状の開口を形成することができる。また、この構成によると、上記一方の幅面パネルにおける上記開口及び上記一対の第４破断容易線の上側領域を上記一方の上側内フラップと共に除去することで、上述の概略四角環状の開口に加え、上記一方の幅面パネルにこの幅面パネルの上縁に至る比較的大きい開口を形成することができる。そのため、箱体の配設場所や箱体内に収容される物品の残量等に応じて開口を選択することができ、使用性を高めることができる。
【００１２】
上記第３破断容易線が、間隔を空けて配設される複数の切断線を有するミシン目であり、上記４つの接続部の切断線間の間隔が、上記一対の鉛直部及び一対の水平部の切断線間の間隔よりも小さいとよい。このように、上記第３破断容易線が、間隔を空けて配設される複数の切断線を有するミシン目であり、上記４つの接続部の切断線間の間隔が、上記一対の鉛直部及び一対の水平部の切断線間の間隔よりも小さいことによって、上記第３破断容易線を上記４つの接続部に沿って容易かつ確実に破断することができる。
【００１３】
上記第１開口形成部が、上記一方の上側外フラップに形成され、上記第２破断容易線に隣接する破断開始用の舌片をさらに有するとよい。このように、上記第１開口形成部が、上記一方の上側外フラップに形成され、上記第２破断容易線に隣接する破断開始用の舌片をさらに有することによって、上記舌片の折り曲げによって形成される開口に指を入れ、この開口の縁部に指を掛けて引き出すことで上記第１破断容易線及び第２破断容易線を第２破断容易線側から容易かつ確実に破断することができる。
【００１４】
上記一対の上側内フラップに、上記第２破断容易線に対応する切欠きが形成されるとよい。このように、上記一対の上側内フラップに、上記第２破断容易線に対応する切欠きが形成されることによって、上記第１開口形成部によって形成される開口を大きくすることができ、この開口から箱体の内部に収容される物品を容易に取り出すことができる。
【００１５】
なお、本考案において、「左右方向」とは、箱用シートを組み立ててなる箱体の想定される一般的な使用態様における水平方向を意味し、「上」及び「下」とは、想定される一般的な使用態様における上下を意味するが、上記箱体の使用時の向きを制限することを企図するものではない。また、「環状」とは、無端状に接続された状態をいい、円環状、楕円環状、多角環状、その他の閉鎖形状を含む。
【考案の効果】
【００１６】
以上説明したように、本考案に係る箱用シートは、物品の視認性及び取出性に優れる箱体に組み立てることができる。
【図面の簡単な説明】
【００１７】
【図１】本考案の一実施形態に係る箱用シートを示す模式的平面図である。
【図２】図１の箱用シートを組み立ててなる箱体を示す模式的斜視図である。
【図３】図２の箱体の開口形成状態を示す模式的斜視図である。
【図４】図２の箱体の図３とは異なる開口形成状態を示す模式的斜視図である。
【考案を実施するための形態】
【００１８】
以下、適宜図面を参照しつつ、本考案の実施の形態を詳説する。
【００１９】
［箱用シート］
図１の箱用シートは、１枚のシートからなる。当該箱用シートは、左右方向に交互に連接され、四角筒状に組み立てられる一対の長さ面パネル（第１長さ面パネル１及び第２長さ面パネル２）及び一対の幅面パネル（第１幅面パネル３及び第２幅面パネル４）と、第１長さ面パネル１及び第２長さ面パネル２の上縁から延出する一対の上側外フラップ（第１上側外フラップ５及び第２上側外フラップ６）と、第１幅面パネル３及び第２幅面パネル４の上縁から延出する一対の上側内フラップ（第１上側内フラップ７及び第２上側内フラップ８）とを備える。当該箱用シートは、図２に示すように、Ａ式（ミカン箱タイプ）の箱体２１に組み立てられる。第１長さ面パネル１、第１幅面パネル３、第２長さ面パネル２及び第２幅面パネル４は、この順で左右方向一方側から左右方向他方側に連接されている。また、当該箱用シートは、第１長さ面パネル１及び第２長さ面パネル２の下縁から延出する一対の下側外フラップ（第１下側外フラップ９及び第２下側外フラップ１０）と、第１幅面パネル３及び第２幅面パネル４の下縁から延出する一対の下側内フラップ（第１下側内フラップ１１及び第２下側内フラップ１２）と、第１長さ面パネル１の第１幅面パネル３との連接側と反対側の端縁から延出し、第２幅面パネル４の内面に貼着される糊代部１３とを備える。
【００２０】
一対の下側外フラップ９，１０及び一対の下側内フラップ１１，１２は、第１長さ面パネル１、第１幅面パネル３、第２長さ面パネル２及び第２幅面パネル４が四角筒状に組み立てられた状態で、一対の下側内フラップ１１，１２が内側に折り曲げられ、さらに一対の下側外フラップ９，１０が先端同士が突き合わされるように内側に折り曲げられることで箱体２１の底部を形成する。また、一対の上側外フラップ５，６及び一対の上側内フラップ７，８は、例えば一対の長さ面パネル１，２、一対の幅面パネル３，４及び上記底部に囲まれる内部空間に物品が収容された状態で、一対の上側内フラップ７，８が内側に折り曲げられ、さらに一対の上側外フラップ５，６が先端同士が突き合わされるように内側に折り曲げられることで箱体２１の蓋部を形成する。一対の上側外フラップ５，６の突き合わせ部及び一対の下側外フラップ９，１０の突き合わせ部には、例えば封函テープＸが貼着される。また、第２幅面パネル４への糊代部１３の貼着は、例えば接着剤、ステープラー等を用いて行うことができる。なお、図１において、太い実線はシートを切断して形成される切断線を示し、細い実線はシートの内面に筋押しして形成される罫線を示す。
【００２１】
当該箱用シートに用いられるシートとしては、当該箱用シートを組み立ててなる箱体２１の形状を維持できる程度の強度を有する限り特に限定されるものではなく、例えば段ボールシート、ボール紙等の紙製シート、合成樹脂製シート、紙製シートと合成樹脂製シートとの積層シート等が挙げられる。中でも、加工性、衝撃吸収性、取扱性、リサイクル性、経済性等の点から紙製シートが好ましく、段ボールシートが特に好ましい。当該箱用シートを形成する段ボールとしては、原紙を波形状に形成した中芯をライナーに貼り合わせたものであって、例えば波形状に形成された中芯を１枚のライナーに貼り合わせた片面段ボールシート、片面段ボールシートの段頂にさらにライナーを貼り合わせた両面段ボールシート、両面段ボールシートの片側に片面段ボールシートの段頂を貼り合わせた複両面段ボールシート、複両面段ボールシートの片側に片面段ボールシートの段頂をさらに貼り合わせた複々両面段ボールシート等が挙げられる。これらの中でも、加工性、経済性、耐久性等の点から両面段ボールシートが好ましい。
【００２２】
第１長さ面パネル１及び第２長さ面パネル２は矩形状かつ略同一形状に形成されている。第１幅面パネル３及び第２幅面パネル４は矩形状かつ略同一形状に形成されている。第１長さ面パネル１及び第２長さ面パネル２の左右方向長さは、第１幅面パネル３及び第２幅面パネル４の左右方向長さよりも大きい。また、第１長さ面パネル１、第２長さ面パネル２、第１幅面パネル３及び第２幅面パネル４の上下方向長さは略等しい。第１長さ面パネル１及び第２長さ面パネル２の左右方向長さとしては、箱体２１内に収容する物品の大きさ等に基づいて適宜設定可能であるが、例えば３０ｃｍ以上８０ｃｍ以下とすることができる。第１幅面パネル３及び第２幅面パネル４の左右方向長さとしては、箱体２１内に収容する物品の大きさ等に基づいて適宜設定可能であるが、例えば２０ｃｍ以上６０ｃｍ以下とすることができる。第１長さ面パネル１、第２長さ面パネル２、第１幅面パネル３及び第２幅面パネル４の上下方向長さとしては、箱体２１内に収容する物品の大きさ等に基づいて適宜設定可能であるが、例えば２０ｃｍ以上６０ｃｍ以下とすることができる。
【００２３】
（開口形成部）
第２長さ面パネル２及び第２長さ面パネル２の上縁から延出する第２上側外フラップ６には、第２長さ面パネル２及び第２上側外フラップ６に跨る第１開口形成部１４が形成されている。また、第１幅面パネル３には第２開口形成部１５が形成されている。第１開口形成部１４は、図３及び図４に示すように、箱体２１内に収容される物品を視認及び取出可能な第１開口Ｐを形成可能に構成される。また、第２開口形成部１５は、箱体２１内に収容される物品を視認及び取出可能な図３の第２開口Ｑ、及び第２開口Ｑよりも大きい図４の第３開口Ｒを形成可能に構成される。第２開口Ｑ及び第３開口Ｒは、箱体２１内に収容される物品の大きさや残量等に応じて選択的に形成される。また、第１開口Ｐと、第２開口Ｑ又は第３開口Ｒとは、同時に形成されてもよく、いずれか一方のみが形成されてもよい。
【００２４】
〈第１開口形成部〉
第１開口形成部１４は、第２長さ面パネル２及び第２上側外フラップ６間の境界線を両端として下方に凸な第１破断容易線１６と、第１破断容易線１６の両端に接続され、第２上側外フラップ６の先端側に凸な第２破断容易線１７とを有する。第１破断容易線１６は第２長さ面パネル２に形成され、第２破断容易線１７は第２上側外フラップ６に形成されている。
【００２５】
第１破断容易線１６は、上下方向に延在し、左右方向に並列に配設される一対の鉛直部１６ａと、一対の鉛直部１６ａの下端よりも下方に位置し、一対の鉛直部１６ａ間で左右方向に延在する水平部１６ｂと、外側に凸な弧状に形成され、一対の鉛直部１６ａ及び水平部１６ｂの隣接する端部同士を接続する一対の接続部１６ｃとを有する。一対の鉛直部１６ａ及び水平部１６ｂは直線状である。一対の鉛直部１６ａ間の間隔としては、箱体２１の強度の低下を抑制しつつ箱体２１内に収容される物品を容易に取り出すことができるよう例えば２０ｃｍ以上６０ｃｍ以下とすることができる。第２長さ面パネル２の上縁と水平部１６ｂとの間隔としては、箱体２１の強度の低下を抑制しつつ箱体２１内に収容される物品を容易に取り出すことができるよう例えば１５ｃｍ以上４０ｃｍ以下とすることができる。
【００２６】
第１破断容易線１６は、間隔を空けて配設される複数の切断線を有するミシン目である。一対の接続部１６ｃの切断線間の間隔は、一対の鉛直部１６ａ及び水平部１６ｂの切断線間の間隔よりも小さいことが好ましい。当該箱用シートは、一対の接続部１６ｃの切断線間の間隔が一対の鉛直部１６ａ及び水平部１６ｂの切断線間の間隔よりも小さいことによって、第１破断容易線１６を一対の接続部１６ｃで容易かつ確実に破断しやすい。また、当該箱用シートは、一対の鉛直部１６ａ及び水平部１６ｂの切断線間の間隔が一対の接続部１６ｃの切断線間の間隔よりも大きいことで、一対の鉛直部１６ａ及び水平部１６ｂの意図しない破断を抑制することができ、箱体２１の強度の低下を防止しやすい。
【００２７】
一対の鉛直部１６ａ及び水平部１６ｂの切断線間の間隔の下限としては、３ｍｍが好ましく、４ｍｍがより好ましい。一方、上記間隔の上限としては、８ｍｍが好ましく、６ｍｍがより好ましい。上記間隔が上記下限に満たないと、一対の鉛直部１６ａ及び水平部１６ｂが意図せず破断するおそれがある。逆に、上記間隔が上記上限を超えると、一対の鉛直部１６ａ及び水平部１６ｂの破断が容易でなくなるおそれがある。なお、一対の鉛直部１６ａ及び水平部１６ｂの各切断線の長さとしては、例えば一対の鉛直部１６ａ及び水平部１６ｂの切断線間の間隔の０．７倍以上１．３倍以下程度とすることができる。
【００２８】
一対の接続部１６ｃの切断線間の間隔の下限としては、１．０ｍｍが好ましく、１．５ｍｍがより好ましい。一方、上記間隔の上限としては、３．５ｍｍが好ましく、３．０ｍｍがより好ましい。上記間隔が上記下限に満たないと、一対の接続部１６ｃが意図せず破断するおそれが高くなる。逆に、上記間隔が上記上限を超えると、一対の接続部１６ｃで容易かつ確実に破断し難くなるおそれがある。なお、一対の接続部１６ｃの各切断線の長さとしては、例えば一対の接続部１６ｃの切断線間の間隔の０．７倍以上１．３倍以下程度とすることができる。
【００２９】
一対の接続部１６ｃの曲率半径の下限としては、４ｃｍが好ましく、６ｃｍがより好ましい。一方、上記曲率半径の上限としては、１０ｃｍが好ましく、８ｃｍがより好ましい。上記曲率半径が上記下限に満たないと、一対の接続部１６ｃで容易かつ確実に破断し難くなるおそれがある。逆に、上記曲率半径が上記上限を超えると、第１開口Ｐの開口面積が不必要に小さくなり、箱体２１内に収容される物品の取り出しが容易でなくなるおそれがある。
【００３０】
第２破断容易線１７は例えばアーチ状である。第２破断容易線１７は、間隔を空けて配設される複数の切断線を有するミシン目である。第２破断容易線１７の切断線間の間隔の下限としては、３ｍｍが好ましく、４ｍｍがより好ましい。一方、上記間隔の上限としては、８ｍｍが好ましく、６ｍｍがより好ましい。上記間隔が上記下限に満たないと、第２破断容易線１７が意図せず破断するおそれがある。逆に、上記間隔が上記上限を超えると、第２破断容易線１７の破断が容易でなくなるおそれがある。なお、第２破断容易線１７の各切断線の長さとしては、例えば第２破断容易線１７の切断線間の間隔の０．７倍以上１．３倍以下程度とすることができる。
【００３１】
第１開口形成部１４は、第２上側外フラップ６に形成され、第２破断容易線１７に隣接する破断開始用の舌片１８を有する。第２上側外フラップ６には、一端が第２破断容易線１７に接続され、この一端から第２上側外フラップ６の先端側に延在する互いに平行な一対の舌片形成用切断線１８ａが形成され、第２破断容易線１７の切断線１７ａが一対の舌片形成用切断線１８ａを接続しており、一対の舌片形成用切断線１８ａ及び第２破断容易線１７の切断線１７ａに囲まれる領域が舌片１８を構成している。舌片１８は、第２上側外フラップ６の左右方向中央部に形成されている。当該箱用シートは、第１開口形成部１４が舌片１８を有することで、舌片１８の折り曲げによって形成される開口に指を入れ、この開口の縁部に指を掛けて引き出すことで第１破断容易線１６及び第２破断容易線１７を第２破断容易線１７側から容易かつ確実に破断することができる。なお、第２破断容易線１７において、一対の舌片形成用切断線１８ａを接続する切断線１７ａは、他の切断線よりも長く形成されてもよい。
【００３２】
当該箱用シートは、第１上側内フラップ７及び第２上側内フラップ８に、第２破断容易線１７に対応する切欠き７ａ，８ａが形成されている。これにより、箱体２１には、第１破断容易線１６及び第２破断容易線１７の破断によって除去した破断片に対応する第１開口Ｐが形成される。その結果、当該箱用シートは、第１開口Ｐの開口面積を十分に大きくして第１開口Ｐから箱体２１内に収容される物品を容易に取り出すことができる。
【００３３】
〈第２開口形成部〉
第２開口形成部１５は、環状の第３破断容易線１９を有する。第３破断容易線１９は、上下方向に延在し、左右方向に並列に配設される一対の鉛直部１９ａと、左右方向に延在し、上下方向に並列に配設される一対の水平部１９ｂと、外側に凸な弧状に形成され、鉛直部１９ａ及び水平部１９ｂの隣接する端部同士を接続する４つの接続部１９ｃとを有する。第２開口形成部１５は、概略四角環状であり、より詳しくは、４つの接続部１９ｃによって長方形の角部が丸められた形状である。一対の鉛直部１９ａ及び一対の水平部１９ｂは直線状である。一対の鉛直部１９ａ間の間隔としては、箱体２１の強度の低下を抑制しつつ箱体２１内に収容される物品を容易に取り出すことができるよう例えば１０ｃｍ以上４０ｃｍ以下とすることができる。一対の水平部１９ｂ間の間隔としては、箱体２１の強度の低下を抑制しつつ箱体２１内に収容される物品を容易に取り出すことができるよう例えば１０ｃｍ以上４０ｃｍ以下とすることができる。
【００３４】
第３破断容易線１９は、間隔を空けて配設される複数の切断線を有するミシン目である。４つの接続部１９ｃの切断線間の間隔は、一対の鉛直部１９ａ及び一対の水平部１９ｂの切断線間の間隔よりも小さいことが好ましい。当該箱用シートは、４つの接続部１９ｃの切断線間の間隔が一対の鉛直部１９ａ及び一対の水平部１９ｂの切断線間の間隔よりも小さいことによって、第３破断容易線１９を４つの接続部１９ｃに沿って容易かつ確実に破断することができる。また、この構成によると、一対の鉛直部１９ａ及び一対の水平部１９ｂの意図しない破断を防止することで第１幅面パネル３の強度の低下を防止しやすい。
【００３５】
一対の鉛直部１９ａ及び一対の水平部１９ｂの切断線間の間隔としては、第１開口形成部１４の一対の鉛直部１６ａ及び水平部１６ｂの切断線間の間隔と同じとすることができる。また、一対の鉛直部１９ａ及び一対の水平部１９ｂの各切断線の長さとしては、第１開口形成部１４の一対の鉛直部１６ａ及び水平部１６ｂの切断線の長さと同じとすることができる。
【００３６】
４つの接続部１９ｃの切断線間の間隔としては、第１開口形成部１４の一対の接続部１６ｃの切断線間の間隔と同じとすることができる。また、４つの接続部１９ｃの各切断線の長さとしては、第１開口形成部１４の一対の接続部１６ｃの切断線の長さと同じとすることができる。
【００３７】
４つの接続部１９ｃの曲率半径の下限としては、３ｃｍが好ましく、４ｃｍがより好ましい。一方、上記曲率半径の上限としては、８ｃｍが好ましく、５ｃｍがより好ましい。上記曲率半径が上記下限に満たないと、第３破断容易線１９を４つの接続部１９ｃで容易かつ確実に破断し難くなるおそれがある。逆に、上記曲率半径が上記上限を超えると、第２開口Ｑ及び第３開口Ｒの開口面積が不必要に小さくなり、箱体２１内に収容される物品の取り出しが容易でなくなるおそれがある。
【００３８】
第２開口形成部１５は、第３破断容易線１９の一対の鉛直部１９ａと、第１幅面パネル３及び組立状態で第１幅面パネル３に隣接する第１長さ面パネル１及び第２長さ面パネル２間の境界線の上端との間を破断可能に構成する一対の第４破断容易線２０を有する。
【００３９】
一対の第４破断容易線２０は、第３破断容易線１９の一対の鉛直部１９ａと第１幅面パネル３の側縁とを接続する一対の傾斜部２０ａと、第１幅面パネル３と第１長さ面パネル１及び第２長さ面パネル２との間の境界線上に形成され、一対の傾斜部２０ａと上記境界線の上端とを接続する一対の鉛直部２０ｂとを有する。一対の傾斜部２０ａ及び一対の鉛直部２０ｂはそれぞれ直線状である。一対の傾斜部２０ａは、第３破断容易線１９の一対の鉛直部１９ａから上記境界線に向けて上方に傾斜している。
【００４０】
一対の第４破断容易線２０は、間隔を空けて配設される複数の切断線を有するミシン目である。一対の第４破断容易線２０の切断線間の間隔としては、第１開口形成部１４の一対の鉛直部１６ａ及び水平部１６ｂの切断線間の間隔と同じとすることができる。一対の第４破断容易線２０の各切断線の長さとしては、第１開口形成部１４の一対の鉛直部１６ａ及び水平部１６ｂの切断線の長さと同じとすることができる。
【００４１】
当該箱用シートは、第３破断容易線１９が、一対の鉛直部１９ａ、一対の水平部１９ｂ及び４つの接続部１９ｃを有するので、図３に示すように、第１幅面パネル３に概略四角環状の第２開口Ｑを形成することができ、この第２開口Ｑから物品を比較的容易に取り出すことができる。また、当該箱用シートは、第２開口形成部１５が、第３破断容易線１９に加えて一対の第４破断容易線２０を有するので、第１幅面パネル３における第２開口Ｑ及び一対の第４破断容易線２０の上側領域を第１上側内フラップ７と共に除去することで、第２開口Ｑに加え、第１幅面パネル３にこの第１幅面パネル３の上縁に至る比較的大きい第３開口Ｒを形成することができる。そのため、当該箱用シートは、箱体２１の配設場所や箱体２１内に収容される物品の残量等に応じて第２開口Ｑ及び第３開口Ｒを選択することができ、使用性を高めることができる。
【００４２】
当該箱用シートは、一対の傾斜部２０ａが第３破断容易線１９の一対の鉛直部１９ａから上記境界線に向けて上方に傾斜しているので、例えば上側の接続部１９ｃから第３破断容易線１９を破断することで、第３破断容易線１９の破断時に、一対の第４破断容易線２０が意図せず破断するのを防止することができ、第２開口Ｑを容易かつ確実に形成することができる。また、当該箱用シートは、下側の接続部１９ｃから第３破断容易線１９を破断することで、第３破断容易線１９の一対の鉛直部１９ａに連続して一対の第４破断容易線２０を破断しやすい。そのため、当該箱用シートは、第１幅面パネル３に第２開口Ｑが形成されていない状態から第３開口Ｒを容易に形成することができる。
【００４３】
＜利点＞
当該箱用シートは、第２長さ面パネル２及び第２長さ面パネル２の上縁から延出する第２上側外フラップ６に形成される第１開口形成部１４と、第１幅面パネル３に形成される第２開口形成部１５とを備えるので、組立状態で第２長さ面パネル２及び第１幅面パネル３のいずれからも物品を視認及び取り出しすることができる。さらに、当該箱用シートは、第１開口形成部１４が第２長さ面パネル３及び第２上側外フラップ６に亘って形成されるので、組立状態で物品を上方から視認及び取り出しすることもできる。従って、当該箱用シートを組み立ててなる箱体２１は、物品の視認性及び取出性に優れる。
【００４４】
［その他の実施形態］
上記実施形態は、本考案の構成を限定するものではない。従って、上記実施形態は、本明細書の記載及び技術常識に基づいて上記実施形態各部の構成要素の省略、置換又は追加が可能であり、それらは全て本考案の範囲に属するものと解釈されるべきである。
【００４５】
例えば第１開口形成部は、上記第１長さ面パネル及び第１上側外フラップに形成されてもよく、第２開口形成部は、上記第２幅面パネルに形成されてもよい。
【００４６】
上記第１開口形成部は、一方の長さ面パネル及びこの長さ面パネルの上縁から延出する一方の上側外フラップに亘って形成される限り、その具体的な構成は上記実施形態の構成に限定されるものではない。例えば上記第１開口形成部は、全体として円環状、楕円環状、四角環状等に形成されてもよい。また、上記第１破断容易線及び第２破断容易線は、比較的長いスリットとこれらのスリットを接続する比較的短い接続部とが交互に配設されたものであってもよい。また、上記一方の上側外フラップには、第２破断容易線に隣接する破断開始用の舌片が形成されていなくてもよい。さらに、当該箱用シートは、第１破断容易線に隣接する破断開始用の舌片を有していてもよい。
【００４７】
上記第２開口形成部は、一方の幅面パネルに形成される限り、その具体的な構成は上記実施形態の構成に限定されるものではない。例えば上記第２開口形成部は、上述の一対の第４破断容易線を有しなくてもよい。また、上記第３破断容易線は、例えば円環状、楕円環状等に形成されていてもよい。
【００４８】
上記第１破断容易線が、一対の鉛直部及び水平部を有する場合、これらの鉛直部及び水平部は必ずしも直線状でなくてもよい。また、上記第３破断容易線が、一対の鉛直部及び一対の水平部を有する場合、これらの鉛直部及び水平部は必ずしも直線状でなくてもよい。
【００４９】
上記第１開口の開口面積を大きくする観点からは、上述のように一対の上側内フラップには第２破断容易線に対応する切欠きが形成されることが好ましい。一方、例えば一対の上側内フラップと重ならない領域に比較的小さい第１開口を形成する場合等には、一対の上側内フラップには切欠きが形成されていなくてもよい。また、当該箱用シートは、上記切欠きに代えて、上記切欠きの端縁に対応する位置に破断容易線を設けることも可能である。
【００５０】
上記実施形態では、一対の下側内フラップを内側に折り曲げ、さらに一対の下側外フラップを内側に折り曲げることで底部を形成する構成について説明したが、当該箱用シートにおいて、箱体の底部を形成するための具体的な構成は特に限定されるものではない。また、当該箱用シートは、箱体の蓋部を形成するための具体的な構成も上記実施形態の構成に限定されるものではない。
【産業上の利用可能性】
【００５１】
以上のように、本考案の箱用シートは、物品の保管、運搬兼陳列用に好適に用いられる。
【符号の説明】
【００５２】
１  第１長さ面パネル
２  第２長さ面パネル
３  第１幅面パネル
４  第２幅面パネル
５  第１上側外フラップ
６  第２上側外フラップ
７  第１上側内フラップ
７ａ  切欠き
８  第２上側内フラップ
８ａ  切欠き
９  第１下側外フラップ
１０  第２下側外フラップ
１１  第１下側内フラップ
１２  第２下側内フラップ
１３  糊代部
１４  第１開口形成部
１５  第２開口形成部
１６  第１破断容易線
１６ａ  鉛直部
１６ｂ  水平部
１６ｃ  接続部
１７  第２破断容易線
１７ａ  切断線
１８  舌片
１８ａ  舌片形成用切断線
１９  第３破断容易線
１９ａ  鉛直部
１９ｂ  水平部
１９ｃ  接続部
２０  第４破断容易線
２０ａ  傾斜部
２０ｂ  鉛直部
２１  箱体
Ｐ  第１開口
Ｑ  第２開口
Ｒ  第３開口
Ｘ  封函テープ
【図１】
0003217142.tif 000003
【図２】
0003217142.tif 000004
【図３】
0003217142.tif 000005
【図４】
0003217142.tif 000006